(57)【要約】  本発明の美容処理装置１は、水Ｗを貯留する貯留槽２１を備えた霧化室２７で、貯留されている水Ｗを霧化する霧化機構３２と、この霧化機構３２により得られた霧化成分Ｍを、ＵＶランプ３０を用いて生成したオゾンと気液接触させて殺菌するための霧化成分殺菌室３６と、この殺菌された霧化成分Ｍをユーザの顔などに噴霧するための噴射ノズル３とを備える。【特許請求の範囲】
【請求項１】
液体が貯留される液体貯留槽を有し、この液体貯留槽内に貯留された前記液体を霧化する霧化機構と、
前記霧化機構で霧化される前の液体の浄化若しくは該霧化機構で液体を霧化して生成された霧化成分の浄化により、清浄な状態の霧化成分を得る清浄機構と、
前記清浄機構により浄化されて得られた清浄な状態の霧化成分を前記筐体の外部に噴出する噴出機構と、
を具備することを特徴とする美容処理装置。
【請求項２】
前記霧化機構が、ヒータ及び超音波振動子のうちの少なくとも一つを備えることを特徴とする請求項１記載の美容処理装置。
【請求項３】
前記清浄機構が、前記霧化機構で霧化される前の液体若しくは該霧化機構で液体を霧化して生成された霧化成分をオゾンと接触させて殺菌する殺菌機構を備えることを特徴とする請求項１又は２記載の美容処理装置。
【請求項４】
前記霧化機構で霧化される前の液体若しくは該霧化機構で液体を霧化して生成された霧化成分に磁力を作用させる磁化機構をさらに具備することを特徴とする請求項１ないし３のいずれか１項に記載の美容処理装置。
【請求項５】
前記清浄機構が、前記霧化機構で霧化される前の液体若しくは該霧化機構で液体を霧化して生成された霧化成分に紫外線を照射する光源をさらに備えることを特徴とする請求項１ないし４のいずれか１項に記載の美容処理装置。
【請求項６】
前記霧化機構の有する前記液体貯留槽内に液体を供給するための液体供給路をさらに備え、
前記清浄機構が、前記液体供給路に設けられたセラミックフィルタを具備することを特徴とする請求項１ないし５のいずれか１項に記載の美容処理装置。
【請求項７】
前記清浄機構が、前記液体供給路から前記霧化機構の前記液体貯留槽を経て前記噴出機構の霧化成分の噴出口に至る経路の少なくとも一部に設けられた光触媒とこの光触媒に向けて光触媒反応を誘起させる光を照射する光源とを有する光触媒作用付与機構をさらに具備することを特徴とする請求項１ないし６のいずれか１項に記載の美容処理装置。
【請求項８】
前記霧化機構で液体を霧化して生成された霧化成分にマイナスイオンを付与する一つ或いは一組の放電針を持つイオナイザを、一つ或いは複数備えることを特徴とする請求項１ないし７のいずれか１項に記載の美容処理装置。
【請求項９】
前記霧化機構の前記液体貯留槽内に貯留された液体を排水する排水機構をさらに具備することを特徴とする請求項１ないし８のいずれか１項に記載の美容処理装置。
【請求項１０】
前記噴出機構により噴出される霧化成分の噴出方向に向けて、特定の波長域の可視光を放射する可視光放射機構をさらに具備することを特徴とする請求項１ないし９のいずれか１項に記載の美容処理装置。
【請求項１１】
前記噴出機構により噴出される霧化成分に美肌作用の得られる芳香を付与する芳香付与機構をさらに具備することを特徴とする請求項１ないし１０のいずれか１項に記載の美容処理装置。
【請求項１２】
前記噴出機構により噴出される霧化成分に美容液の成分を混入させる美容液成分混入機構をさらに具備することを特徴とする請求項１ないし１１のいずれか１項に記載の美容処
理装置。
【請求項１３】
前記噴出機構により噴出される霧化成分にプロビタミンＣを混入させるプロビタミンＣ混入機構を具備することを特徴とする請求項１ないし１２のいずれか１項に記載の美容処理装置。
【請求項１４】
前記霧化成分中のプロビタミンＣの濃度が略３％となるように構成したことを特徴とする請求項１３に記載の美容処理装置。
【発明の詳細な説明】
【技術分野】
【０００１】
本発明は、液体を微粒化して得た霧化成分を肌面に供給して美容処理を行う美容処理装置に関する。
【背景技術】
【０００２】
ユーザの顔などに液体を噴霧して、肌に潤いを与えたり、また肌の細胞組織の活性を高めることで、美肌処理を行える美容目的の噴霧装置が知られている（例えば、特許文献１参照）。【０００３】
この種の美容処理装置では、肌面に例えば冷水を噴霧した場合、毛穴を引き締めて肌のきめを細やかにする作用を得ることができ、また、例えば加温されている蒸気を肌面に噴霧した場合には、毛穴の汚れを効果的に除去する作用を得ることができる。
【特許文献１】特許登録第３６１５５１４号公報
【発明の開示】
【発明が解決しようとする課題】
【０００４】
ここで、このような美容処理装置では、肌面に供給される霧化成分は、毛穴を通じて肌の内部に浸透して行くことになるため、例えば殺菌処理などを施した清浄化されたものを用いることが望ましい。【０００５】
そこで本発明は、このような課題を解決するためになされたもので、肌面に対して清浄性を高めた美容処理を施すことができる美容処理装置の提供を目的とする。
【課題を解決するための手段】
【０００６】
上記目的を達成するために、本発明の美容処理装置は、液体が貯留される液体貯留槽を有し、この液体貯留槽内に貯留された前記液体を霧化する霧化機構と、前記霧化機構で霧化される前の液体の浄化若しくは該霧化機構で液体を霧化して生成された霧化成分の浄化により、清浄な状態の霧化成分を得る清浄機構と、前記清浄機構により浄化されて得られた清浄な状態の霧化成分を前記筐体の外部に噴出する噴出機構と、を具備することを特徴とする。
この発明では、浄化された清浄な状態の霧化成分をユーザの肌面に供給できるので、肌面に対して清浄性を高めた美容処理を施すことができる。
ここで、霧化成分とは、微粒子状（霧状）の液体（ミスト）及び液体を気化させて得た蒸気のいずれをも含む。【０００７】
また、本発明の美容処理装置は、前記霧化機構が、ヒータ及び超音波振動子のうちの少なくとも一つを備えることを特徴とする。
この発明によれば、ヒータを搭載する霧化機構では、液体の霧化と加温とを同時に行うことができ、また、超音波振動を搭載する霧化機構では、霧化成分を構成するクラスタ分子の微粒化を図ることができ、これにより、肌面に施される美容処理の効果を高めることができる。【０００８】
また、本発明の美容処理装置は、前記清浄機構が、前記霧化機構で霧化される前の液体若しくは該霧化機構で液体を霧化して生成された霧化成分をオゾンと接触させて殺菌する殺菌機構を備えることを特徴とする。
この発明では、霧化成分又は霧化される前の液体に対しオゾンにより殺菌処理を施し、これにより得られた清浄な状態の霧化成分をユーザの肌面に噴霧できるので、この肌面から毛穴に浸透して行く清浄化された霧化成分で、毛穴に詰まった古い角質や皮脂などの汚れ物質を効果的に除去することができる。【０００９】
また、本発明の美容処理装置は、前記霧化機構で霧化される前の液体若しくは該霧化機構で液体を霧化して生成された霧化成分に磁力を作用させる磁化機構をさらに具備することを特徴とする。
この発明では、霧化成分又は霧化される前の液体に対し磁気処理を施し、これにより得られたクラスタの細分化された霧化成分で、肌面に美容処理を施すことができる。【００１０】
ここで、水のクラスタサイズはクラスタ内の水分子の数によって決まる。通常、水道水のクラスタ内水分子の数は１５〜４０個ほどといわれている。また、水の汚染度合いが高いと汚染物質が水分子と結びつくため、約２００〜３００個、場合によっては５００個以上の水分子がクラスタ内に存在することになる。
一方、いわゆる良い水とされる水のクラスタ内の水分子の数は一般に６個以下とされている。クラスタ内水分子の数を減らすには様々な方法がある。例えば、紫外線処理を施した場合には、水分子の数は約１１個に減少する。また、水をスチーム状態にすると水分子の数は約９個以下に減少し、この他、電気分解水では水分子の数を６個以下にすることが可能となる。
この発明の美容処理装置によれば、霧化機構と磁化機構の相乗効果により、霧化成分中のクラスタ内水分子の数を６個以下にすることができる。【００１１】
さらに、本発明の美容処理装置は、前記清浄機構が、前記霧化機構で霧化される前の液体若しくは該霧化機構で液体を霧化して生成された霧化成分に紫外線を照射する光源をさらに備えることを特徴とする。
この発明によれば、紫外線による殺菌効果で、肌面に噴霧される霧化成分の清浄化を図ることができる。【００１２】
また、本発明の美容処理装置は、前記霧化機構の有する前記液体貯留槽内に液体を供給するための液体供給路をさらに備え、前記清浄機構が、前記液体供給路に設けられたセラミックフィルタを具備することを特徴とする。
この発明では、霧化機構の有する液体貯留槽内に流れ込む液体を浄化することができる。【００１３】
さらに、本発明の美容処理装置は、前記清浄機構が、前記液体供給路から前記霧化機構の前記液体貯留槽を経て前記噴出機構の霧化成分の噴出口に至る経路の少なくとも一部に設けられた光触媒とこの光触媒に向けて光触媒反応を誘起させる光を照射する光源とを有する光触媒作用付与機構をさらに具備することを特徴とする。
この発明によれば、霧化される前の液体中又は霧化されて得られた霧化成分中の汚れ成分を光触媒の作用により分解できるので、より清浄化された霧化成分を肌面に噴霧することができる。【００１４】
さらに、本発明の美容処理装置は、前記霧化機構で液体を霧化して生成された霧化成分にマイナスイオンを付与する一つ或いは一組の放電針を持つイオナイザを、一つ或いは複数備えることを特徴とする。
この発明では、霧化成分に付与されたマイナスイオンが肌の奥深くに浸透することにより、細胞組織の活性化作用が得られ、これにより効果的な美容処理を施すことができる。【００１５】
また、本発明の美容処理装置は、前記霧化機構の前記液体貯留槽内に貯留された液体を排水する排水機構をさらに具備することを特徴とする。
この発明によれば、霧化対象となる貯留状態の液体を新しい液体と置換することなどが可能なので、霧化対象となる液体の清浄化を図ることができる。【００１６】
また、本発明の美容処理装置は、前記噴出機構により噴出される霧化成分の噴出方向に向けて、特定の波長域の可視光を放射する可視光放射機構をさらに具備することを特徴とする。
この発明では、清浄な状態の霧化成分が肌の奥深くに浸透にして行く効果と、特定の波長域の可視光が肌面に照射されることによるクロモセラピー効果との相乗効果によって、優れた美容処理効果を得ることができる。【００１７】
さらに、本発明の美容処理装置は、前記噴出機構により噴出される霧化成分に美肌作用の得られる芳香を付与する芳香付与機構をさらに具備することを特徴とする。
この発明によれば、清浄化された霧化成分で肌面をトリートメントできる効果と、アロマテラピーによる効果とを相乗的に作用させて、美肌処理効果を高めることができる。【００１８】
また、本発明の美容処理装置は、前記噴出機構により噴出される霧化成分に美容液の成分を混入させる美容液成分混入機構をさらに具備することを特徴とする。
この発明によれば、清浄化された霧化成分に美容液の成分を混入させつつこれを肌面に噴霧することが可能なので、より優れた美肌処理を実現することができる。【００１９】
さらに、本発明の美容処理装置は、前記噴出機構により噴出される霧化成分にプロビタミンＣを混入させるプロビタミン混入機構をさらに具備することを特徴とする。
この発明によれば、毛穴の拡張効果を通じてプロビタミンＣを特に皮膚の深部にまで浸透させることができ、例えば皮膚の表皮に比較して皮膚の真皮での浸透量を増大させることができる。前記プロビタミンＣは皮膚中に吸収されると、皮膚中の酵素によってビタミンＣに変換される。したがって、皮膚中の色素沈着を除去し、美白効果を高めることができる。【００２０】
なお、前記霧化成分中での含有量は適宜調整することができるが、以下に示す実施例では例えば３％とすることができる。この場合、上述した真皮中への浸透量をより増大させることができるようになる。
また、プロビタミンＣによる美白効果は、本発明の美容処理装置を使用した噴霧処理の他に、前記プロビタミンＣを直接皮膚に対して塗布するという操作を併用することにより、より高めることができる。
【発明の効果】
【００２１】
このように本発明によれば、肌面に対して清浄性を高めた美容処理を施すことが可能な美容処理装置を提供することができる。
【図面の簡単な説明】
【００２２】
【図１】本発明の第１の実施形態に係る美容処理装置を示す斜視図。
【図２】図１の美容処理装置を機能的に示すブロック図。
【図３】図１の美容処理装置の主要部の構成を模式的に示す図。
【図４】図１の美容処理装置の噴射ノズルに装着される芳香部材の構造を示す断面図。
【図５】本発明の第２の実施形態に係る美容処理装置を示す斜視図。
【図６】図５の美容処理装置を機能的に示すブロック図。
【図７】図５の美容処理装置の主要部の構成を模式的に示す図。
【図８】図５の美容処理装置の噴射ノズルの構造を示す断面図。
【図９】図５に記載の美容処理装置を用いたプロビタミンＣを噴霧した際の、皮膚中の総ビタミンＣ量を示すグラフ。
【符号の説明】
【００２３】
１，５１…美容処理装置、２…筐体、３…噴射ノズル、３ａ，９ａ…霧化成分噴射流路、９…芳香部材、１２…排水機構、１４…ドレイン管、１５…排水タンク、２１…貯留槽、２２…セラミックフィルタ、２４，４０…磁化機構、２５…超音波振動子、２６，３０…ＵＶランプ、２７…霧化室、２８…送気ファン、３２，５８…霧化機構、３３…液体移送流路、３４，４１…永久磁石、３５…霧化成分殺菌機構、３６…霧化成分殺菌室、３８…霧化成分移送流路、５２…赤色ＬＥＤ、５３…青色ＬＥＤ、５４…黄色ＬＥＤ、５５…光触媒作用付与機構、５６…イオナイザ、６５…美容液含浸部材、Ｗ…水、Ｍ…霧化成分。
【発明を実施するための最良の形態】
【００２４】
以下、本発明を実施するための最良の形態を図面に基づき説明する。
（第１の実施の形態）
図１は、本発明の第１の実施形態に係る美容処理装置を示す斜視図、図２は、この美容処理装置を機能的に示すブロック図、図３は、この美容処理装置の主要部の構成を模式的に示す図、図４は、この美容処理装置の噴射ノズルに装着される芳香部材の構造を示す断面図である。【００２５】
図１〜図３に示すように、この実施形態に係る美容処理装置１は、ユーザの顔などの肌面に液体を微粒子化して噴霧する、蒸気式のスチーマである。美容処理装置１の筐体２の前面には、霧化された霧化成分Ｍが噴射される噴射ノズル３が設けられている。さらに、筐体２の前面には、電源をＯＮ／ＯＦＦする電源スイッチ５、美容処理装置１の動作モードなどを設定する設定スイッチ７、及び設定スイッチ７による設定内容を表示する設定表示用ＬＥＤ６が設けられている。筐体２の背面には、商用電源などの電力を装置内の電子部品に供給するための電源コード８が接続されている。【００２６】
また、美容処理装置１の筐体２の内部には、図２及び図３に示すように、液体として例えば水Ｗを貯留する貯留槽２１を備えた霧化室２７を有し、貯留されている水Ｗを霧化して霧化成分とする霧化機構３２と、霧化機構３２により霧化された霧化成分Ｍを殺菌する霧化成分殺菌機構３５とが設けられている。また、美容処理装置１には、外部から水を給水するための給水口２３が設けられており、給水口２３から給水された水Ｗは、霧化室２７を構成する貯留槽２１に流れ込む。また、貯留槽２１内に容易に水Ｗを継ぎ足せるように、貯留槽２１が、筐体２に対して着脱自在に構成されていてもよい。ここで、霧化すべき液体は、水Ｗの他、美容処理のための専用の薬液などでもよい。【００２７】
霧化機構３２は、給水口２３から給水された水Ｗを移送する配管として構成された液体移送流路３３と、液体移送流路３３を通じて移送される水Ｗが流れ込む上記貯留槽２１を備えた霧化室２７と、当該霧化機構３２により霧化される前の水Ｗに紫外線を照射する光源としてのＵＶランプ２６と、霧化室２７の底部に設けられた電気ヒータ２９と、電気ヒータ２９による加熱によって霧化室２７内の水Ｗが霧化されて得られた霧化成分Ｍを霧化成分殺菌機構３５側へ送り出すための送気ファン２８とを備える。ここで、霧化成分殺菌室３６の外壁部分にさらに冷却装置を追加してもよい。この冷却装置によって、冷却された霧化成分Ｍを肌面に噴霧した場合には、毛穴を引き締めて肌のきめを細やかにする作用を得ることができる。また、このように冷却装置を追加する場合には、加温状態の霧化成分と冷却状態の霧化成分との生成を例えば設定スイッチ７で、切替可能にする構成などが例示される。また、この送気ファン２８と上記噴射ノズル３とは、霧化成分殺菌機構３５により殺菌された霧化成分Ｍを筐体２の外部に噴出させる噴出機構として機能する。【００２８】
また、本実施形態の美容処理装置１には、図１、図２、図４に示すように、噴射ノズル３より噴出されるべき霧化成分Ｍに対し美肌作用の得られる芳香（アロマ）を付与する芳香付与機構としての芳香部材９が設けられている。リング状に形成されているこの芳香部材９は、噴射ノズル３に対して例えば着脱自在に構成されており、噴射ノズル３の霧化成分噴射流路３ａと連通する霧化成分噴射流路９ａを中央部分に備える。また、リング状の芳香部材９の本体部分には、美肌作用の得られる例えば植物のエッセンシャルオイルなどが含有されている。したがって、霧化成分Ｍが噴射ノズル３から噴射される際に美肌作用の得られる芳香が霧化成分Ｍに付与され、これにより、清浄化された霧化成分Ｍで肌面をトリートメントできる効果と、アロマテラピーによる効果とを相乗的に作用させて、美肌処理効果を高めることができる。【００２９】
上記したＵＶランプ２６は、霧化室２７の下方の貯留槽２１内に配置されており、液体移送流路３３を通じて霧化室２７内の貯留槽２１に流れ込んできて、一時的に貯留される水Ｗに紫外線を照射する。これにより、霧化される前の水Ｗを予め紫外線により殺菌できるので、肌面に噴霧される霧化成分のさらなる清浄化を図ることができる。また、霧化室２７内の貯留槽２１と給水口２３とは、上記した液体移送流路３３を通じて接続されている。【００３０】
また、液体移送流路３３を通じて霧化室２７の貯留槽２１内に流れ込んだ水Ｗの水位が、所定の水位Ｈ１を超えた場合に、水位Ｈ１を超えた（あふれる）水Ｗを、排水取込口が上部に開口したドレイン管１４を介して排水タンク１５側に排水する排水機構１２が設けられている。ここで、上記構成に代えて、ドレイン管の排水取込口を水位Ｈ１の位置に相当する霧化室２７内の貯留槽２１の側方（横方向）に接続するようにしてもよい。【００３１】
また、給水口２３と霧化室２７内の貯留槽２１との間には、図２に示すように、貯留槽２１側へ移送される水Ｗを浄化できるように、ＴｉＣなどを構成材料として形成されたセラミックフィルタ２２が介在されている。さらに、このセラミックフィルタ２２及び霧化室２７内の貯留槽２１間の液体移送流路３３の外周部分と、後述する霧化成分殺菌室３６及び噴射ノズル３間の霧化成分移送流路３８の外周部分とには、永久磁石３４及び永久磁石４１をそれぞれ配置することで構成された磁化機構２４、４０が設けられている。永久磁石３４によって、霧化室２７側に移送される水Ｗを磁気処理して磁化水とすることができるので、クラスタの細分化された水Ｗを霧化した霧化成分Ｍで、肌面に美容処理を施すことができる。なお、上記永久磁石３４は、電磁石などによって構成されてもよい。【００３２】
霧化成分殺菌機構３５は、図２及び図３に示すように、貯留槽２１を基準として霧化室２７の下流側に配置された上記霧化成分殺菌室３６と、この霧化成分殺菌室３６内に配置されたオゾン管としてのＵＶランプ３０とを備える。詳細には、霧化成分殺菌室３６は、霧化室２７と噴射ノズル３とを接続する配管として構成された上記霧化成分移送流路３８の経路上に配置されており、ＵＶランプ３０により生成されるオゾンと霧化室２７側から移送されてくる霧化成分Ｍとを気液接触させて、霧化成分Ｍを殺菌処理する。【００３３】
なお、ＵＶランプ３０によって生成されるオゾンの濃度は、０．１ｐｐｍ未満であるが、殺菌効果を考慮した場合、例えば０．００４ｐｐｍ〜０．０６ｐｐｍ程度であることが望ましい。ここで、本実施形態では、主に、霧化成分殺菌室３６内のＵＶランプ３０、霧化室２７内のＵＶランプ２６、及びセラミックフィルタ２２は、霧化機構３２により霧化される前の水Ｗ又は霧化機構３２により生成された霧化成分Ｍを浄化して清浄な状態の霧化成分を得る清浄機構として機能する。【００３４】
ここで、上記した磁化機構２４において、霧化成分殺菌室３６と噴射ノズル３との間の霧化成分移送流路３８の外周部分に配置された例えば４，０００Ｇ（ガウス）以上の磁力を発生させ、霧化成分Ｍに磁気処理を施す永久磁石４１について考察してみる。
一般に、水に磁気処理を施して磁化水を精製するためには、数１０テスラ（１００，０００Ｇ）の磁力が必要であるといわれている。
ここで、仮に磁化水の精製に、５０テスラ（５００，０００Ｇ）が必要であるとした場合でも、蒸気中の水の密度は２０００分の１であるから、２５０Ｇの磁力があれば、蒸気の磁化を行えることになる。
したがって、永久磁石４１の発生させる４，０００Ｇ以上の磁力は、霧化成分移送流路３８中の霧化成分Ｍの磁化に際して、その要求を十分に満たしているといえる。【００３５】
このような永久磁石４１や上記した永久磁石３４によって構成される磁化機構２４、４０によれば、水Ｗや霧化成分Ｍに磁気処理を施すことで、水分子どうしが結合して構成されるクラスタのサイズが小さくなって水分子の活性化が図られるとともに、雑菌類などを死滅させ水Ｗや霧化成分Ｍの清浄化を図ることができる。
なお、このような永久磁石４１は、霧化室２７の上方部、霧化成分殺菌室３６、噴射ノズル３、又は霧化成分移送流路３８における霧化室２７と霧化成分殺菌室３６との間などに配置されていてもよい。また、上記４０００Ｇ以上の磁力を発生させるものであれば、永久磁石４１は、電磁石であってもよい。【００３６】
既述したように、本実施形態の美容処理装置１では、セラミックフィルタ２２、磁化機構２４、ＵＶランプ２６により浄化された水Ｗを霧化し、これにより得られた霧化成分Ｍを、ＵＶランプ３０を通じてオゾンで殺菌処理して、さらに磁化機構４０を通じて磁気処理を施した後、ユーザの顔などの肌面に噴霧できるので、この肌面から毛穴に浸透して行く清浄化された霧化成分Ｍで、毛穴に詰まった古い角質や皮脂などの汚れ物質を効果的に除去することができる。【００３７】
（第２の実施の形態）
この実施形態に係る美容処理装置５１は、図５〜図８に示すように、ユーザの顔などの肌面に水Ｗを微粒子化して噴霧する、蒸気式と超音波式とを併用したかたちのスチーマであって、第１の実施の形態で説明した美容処理装置１の構成に、さらに、赤色ＬＥＤ（発光ダイオード）５２、青色ＬＥＤ５３及び黄色ＬＥＤ５４、超音波振動子２５、光触媒作用付与機構５５、イオナイザ５６、並びに美容液成分混入機構として機能する美容液含浸部材６５を加えて構成されている。【００３８】
光触媒作用付与機構５５は、図６及び図７に示すように、セラミックフィルタ２２と磁化機構２４との間の液体移送流路３３上に設けられており、霧化室２７に向かって液体移送流路３３を流れる水Ｗを浄化する。すなわち、液体浄化機構５５は、二酸化チタンを主成分とする光触媒とこの光触媒に向けて光を照射するＬＥＤなどの光源６１とを有する。光触媒としては、可視光応答型の光触媒を用いてもよいし、紫外線応答型の光触媒を用いてもよく、光源は、適用された光触媒の反応タイプに対応させるようにして適宜選択される。また、図６〜図８に示すように、このような光触媒作用付与機構５５に加え、光源６２を有する光触媒作用付与機構５９が、噴射ノズル３内にも設けられている。光触媒作用付与機構５９では、霧化されて得られた霧化成分Ｍ中の汚れ成分を光触媒の作用により分解できる。【００３９】
また、このような光触媒を、配管として構成された液体移送流路の内壁面にコーティングすることなどで適用してもよいし、液体移送流路内にフィルタを配置しこのフィルタに光触媒をコーティングして、光触媒作用付与機構５５を構成してもよい。このようにして構成される光触媒作用付与機構５５によれば、水Ｗなど液体中の汚れ成分を光触媒の作用により分解できるので、清浄化された霧化成分を肌面に噴霧することができる。さらに、このような光触媒を貯留槽２１、霧化室２７、霧化成分移送流路３８などの内壁部分にコーティングするとともに、これらの内壁部分にコーティングされた光触媒に向けて光を照射する光源をさらに追加してもよい。ここで、上記光触媒作用付与機構のＬＥＤランプの発光する光は、例えば波長域が３８０ｎｍ未満の紫外光であって、光度が例えば２２０ｍｃｄ程度である。なお、可視光反応型の光触媒を選択することで、上記した紫外光を発光するＬＥＤランプに代えて、例えば４４０〜４４９ｎｍ程度の波長域の青色光や、また、３７０〜３８０ｎｍ程度の紫色光などをそれぞれ発光するＬＥＤランプを適用するようにしてもよい。【００４０】
超音波振動子２５を備える霧化機構５８は、超音波振動子２５の発生させる超音波振動を利用して水Ｗを霧化する作用と、電気ヒータ２９により水Ｗを加温しつつ蒸気化する作用とを同時に得ることができる。すなわち、この霧化機構５８によれば、水Ｗの霧化と霧化成分Ｍの加温とを同時に行うことができるとともに、超音波振動により霧化成分を構成するクラスタ分子の微粒化を図ることができ、これにより、肌面に施される美容処理の効果を高めることができる。【００４１】
また、イオナイザ５６は、図６に示すように、霧化成分殺菌室３６と噴射ノズル３との間の霧化成分移送流路３８（図７参照）の経路上に一つ又は複数個配置されており、霧化成分殺菌室３６側から移送されてくる霧化成分Ｍにマイナスイオンを付与する。ここで、本実施形態の美容処理装置５１では、一組の放電針を備えるイオナイザ５６が、例えば複数個配置されており、これにより、イオナイザ５６を持たない装置と比較して、霧化成分Ｍの粒子径を１／８０００以下のサイズにすることができる。したがって、このように粒子径が小さく、しかもマイナスイオンの付与された霧化成分Ｍが肌の奥深くに浸透することにより、細胞組織の活性化作用が得られ、これにより、効果的な美容処理を施すことができる。【００４２】
さらに、図５に示すように、赤色ＬＥＤ５２、青色ＬＥＤ５３及び黄色ＬＥＤ５４は、
噴射ノズル３からの霧化成分Ｍの噴出方向に向けて、特定の波長域の可視光を放射する可視光放射機構として機能する。すなわち、赤色ＬＥＤ５２の発光する光は、例えばピーク波長が６４１ｎｍで、光度が例えば１８０ｍｃｄである。この赤色光は、皮膚浸透度が高く、皮膚深部のメラニンに反応し、皮膚の奥深くのシミの除去に効果的である。また、赤色の色彩作用も相まって、赤みがかっている肌の改善に適しており、血行の促進効果などを得ることができる。また、いわゆるスリミングケアにも適している。【００４３】
さらに、黄色ＬＥＤ５４の発光する光は、例えばピーク波長が５９２ｎｍで、光度が例えば２２０ｍｃｄである。この黄色光は、赤色ＬＥＤ５２の光に比べると、皮膚浸透度が高いため、皮膚表面のシミの除去に効果的である。また、色彩の作用として、老化肌やトラブル肌の改善にも適している。また、青色ＬＥＤ５３の発光する光は、例えばピーク波長が４６５ｎｍで、光度が例えば７０〜２００ｍｃｄである。この青色光は、ヘモグロビンによく吸収されるので、赤ら顔や赤アザに効果的である。色彩の作用としては、リンパドレナージュ作用や血液循環作用を増大させる。さらに、ストレスや緊張を緩和する効果なども得ることができる。【００４４】
したがって、赤色ＬＥＤ５２、青色ＬＥＤ５３及び黄色ＬＥＤ５４を有する美容処理装置５１では、オゾンにより殺菌の行われた清浄化されている霧化成分Ｍが肌の奥深くに浸透にして行く効果と、特定の波長域の可視光が肌面に照射されることによるクロモセラピー効果（色彩が皮膚に及ぼす作用）などとの相乗効果によって、優れた美容処理効果を得ることができる。【００４５】
また、この実施形態の美容処理装置５１には、図７に示すように、貯留槽２１とドレイン管１４とをつなぐ排水取込口を開閉する排水シャッタ６３が設けられている。排水シャッタ６３の動作は、図５に示すように、美容処理装置５１の前面に設けられた排水選択ボタン６４をボタン操作することで、排水取込口の開閉が制御される。これにより、霧化対象となる貯留状態の液体を新しい液体と置換することなどができるので、霧化対象となる液体の清浄化を図ることができる。また、例えば、温度センサなどを貯留槽２１内に設置し、貯留槽２１内に貯留された水Ｗの温度を検出できるようにしてもよい。つまり、例えば、検出された貯留槽２１内の水Ｗの温度が高温の場合などに、ドレイン管１４からの排水ができないように制御を行うことで、貯留槽２１内での、いわゆる空だきを防止することなどが可能となる。【００４６】
さらに、本実施形態の美容処理装置５１には、図８に示すように、噴射ノズル３より噴出されるべき霧化成分Ｍに対し、美容液の成分を混入させるための美容液含浸部材６５が用意されている。この美容液含浸部材６５は、上記した芳香部材９と同様に、噴射ノズル３内に対して例えば着脱自在に構成されており、噴射ノズル３の霧化成分噴射流路３ａと連通する霧化成分噴射流路６５ａを中央部分に備える。また、綿状の材料などを用いて例えばリング状に形成された美容液含浸部材６５の本体部分には、美肌作用の得られる化粧液やその他の栄養分などからなる美容液が含有（含浸）されている。なお、美容液含浸部材６５は、芳香部材９とともに、噴射ノズル３内に装着可能に構成されていてもよい。また、このような美容液含浸部材６５に代えて、噴射ノズル３の霧化成分噴射流路３ａの途中に皿状の部材を設置可能とし、さらに、筐体２の外側からこの皿状の部材に美容液を供給できるように美容処理装置５１を構成することで、霧化成分Ｍに対し美容液の成分を混入させるようにしてもよい。【００４７】
ここで、美容液含浸部材６５内に含浸させる（染み込ませる）美容液としては、保湿効果をもつスクワラン・ホホバオイルなどの油系のものや、その他、美白・抗酸化作用のあるプロビタミンＣやプロビタミンＥなどが例示される。これらの美容液は、霧化成分Ｍ（１００℃相当のスチーム）と接触しても美容液としての物性の変わらない耐性を有する。
したがって、このような美容液含浸部材６５を噴射ノズル３に装着することで、その前段で清浄化された霧化成分Ｍに対し、美容液の成分を混入させつつこれを肌面に噴霧することが可能となり、より優れた美肌処理を実現することができる。【００４８】
特に、美容含浸部材６５内にプロビタミンＣを配合することにより、本例（本発明）の美容処理装置５１は顕著な作用効果を示すようになる。すなわち、本例（本構成）の美容処理装置５１においては、特に毛穴の拡張効果により、プロビタミンＣを特に皮膚の深部にまで浸透させることができ、例えば皮膚の表皮に比較して皮膚の真皮での浸透量を増大させることができる。前記プロビタミンＣは皮膚中に吸収されると、皮膚中の酵素によってビタミンＣに変換される。したがって、皮膚中の色素沈着を表皮のみならず真皮からも効果的に除去することができ、美白効果を高めることができるようになる。【００４９】
なお、前記霧化成分中での含有量は適宜調整することができるが、本例では、美容含浸部材６５への含浸量を調節することによって、例えば３％とすることができる。この場合、上述した真皮中へのプロビタミンＣの浸透量をより増大させることができるようになる。上記美白効果をより向上させることができるようになる。
なお、本例におけるプロビタミンＣによる美白効果は、上記美容処理装置５１における噴霧に加えて、前記プロビタミンＣを直接皮膚に対して塗布するという操作を併用することにより、より高めることができる。【００５０】
図９は、本例における美容処理装置５１を利用して皮膚中にプロビタミンＣを霧化成分（スチーム）とともに噴霧処理した場合の、皮膚中の総ビタミンＣ量を示すグラフである。なお、図９に示す例では、プロビタミンＣの噴霧処理の際に３％濃度プロビタミンＣ溶液を塗布し、その後に前記噴霧処理を実施した。また、比較のために他社製品の美容処理装置との比較対象実験も実施した。【００５１】
図９から明らかなように、本例における美容処理装置５１を用い、霧化成分（スチーム）中のプロビタミンＣ量を増大するにつれて、皮膚の表皮のみならず、真皮へもプロビタミンＣが十分に浸透し、ビタミンＣに変換されていることが分かる。また、表皮及び真皮が含むビタミンＣ量は、現在主流とされている他社製品と比較しても、同等かそれ以上の値を示すことが分かる。【００５２】
さらに、本例における美容処理装置５１においては、現状は霧化成分（スチーム）中のプロビタミンＣ量が３％の場合に皮膚中の総ビタミン量が最大となっているが、プロビタミンＣ量が１％の場合に比較してその増大割合が顕著であることから、今回特に実験を実施していないものの、霧化成分（スチーム）中のプロビタミンＣ量を３％よりも大きくすることによって、皮膚中の総ビタミンＣ量を上記他社製品のものよりも顕著に増大できることも考えられる。【００５３】
以上、本発明を第１、第２の実施の形態により具体的に説明したが、本発明はこれらの実施形態にのみ限定されるものではなく、その要旨を逸脱しない範囲で種々変更可能である。例えば、霧化室２７の上流側に、水の電気分解を行える貯留槽や、この貯留槽内にイオン交換膜などを設けることで、体液や血液と親和性の高い弱アルカリ性の水を噴霧できるように美容処理装置を構成してもよい。このような弱アルカリ性の水を肌面に噴霧することで、美肌効果のさらなる向上を図ることができる。
【図１】
2007018170.tif 000002
【図２】
2007018170.tif 000003
【図３】
2007018170.tif 000004
【図４】
2007018170.tif 000005
【図５】
2007018170.tif 000006
【図６】
2007018170.tif 000007
【図７】
2007018170.tif 000008
【図８】
2007018170.tif 000009
【図９】
2007018170.tif 000010
【国際調査報告】
2007018170.tif 000011
2007018170.tif 000012
2007018170.tif 000013
2007018170.tif 000014
2007018170.tif 000015
2007018170.tif 000016